(57)【要約】【課題】記録されている情報を識別し易い画像を用いてメニュー画面を構成して情報を再生できるように当該情報を記録することが可能な情報記録装置及び当該メニュー画面を用いて情報を再生できる情報再生装置を提供する。【解決手段】複数の画像を含むプログラムが記録されている光ディスク１から一のプログラムを再生するときに出力される画像のうち、いずれか一の画像を選択する画面選択ボタン２０ａと、選択された画像を、再生されているプログラムを示す識別画像としてプログラム毎に光ディスク１に記録するピックアップ２と、複数のプログラムに対応する識別画像を光ディスク１から検出し、再生すべきプログラムを選択するためのメニュー画面として合成し出力するメニュー画面生成回路１２と、出力されたメニュー画面を用いて再生すべきプログラムを選択する操作部２０と、選択されたプログラムを再生するピックアップ２と、を備える。【選択図】図１
2006314116.tif 000002
【特許請求の範囲】
【請求項１】
一又は複数の画像を少なくとも含む記録情報を記録媒体に記録する情報記録装置において、前記記録情報の記録中において、
前記画像を出力する出力手段と、
前記記録情報の記録中において、前記出力された画像のうち、いずれか一の画像を選択する選択手段と、
前記選択された画像を、前記記録中の記録情報を示す識別画像として当該記録情報毎に前記記録媒体に記録する記録手段と、
を備えることを特徴とする情報記録装置。
【請求項２】
請求項１に記載の情報記録装置により前記記録媒体に記録された前記記録情報を再生する情報再生装置において、
複数の前記記録情報に対応する複数の前記識別画像を前記記録媒体から検出し、複数の前記記録情報の中から再生すべき前記記録情報を選択するためのメニュー画像として合成し出力するメニュー出力手段と、
前記出力されたメニュー画像を用いて再生すべき前記記録情報を選択する情報選択手段と、
前記選択された記録情報を再生する再生手段と、
を備えることを特徴とする情報再生装置。
【請求項３】
一又は複数の画像を少なくとも含む記録情報を記録媒体に記録する情報記録装置において、
前記記録情報の記録中において、前記画像を出力する出力手段と、
前記記録情報の記録中において、前記出力された画像のうち、いずれか一の画像を選択する選択手段と、
前記選択された画像を示す指示情報を、前記記録中の記録情報を示す識別情報として当該記録情報毎に前記記録媒体に記録する記録手段と、
を備えることを特徴とする情報記録装置。
【請求項４】
請求項３に記載の情報記録装置により前記記録媒体に記録された前記記録情報を再生する情報再生装置において、
複数の前記記録情報に対応する複数の前記指示情報を前記記録媒体から検出すると共に各前記記録情報毎に当該検出した指示情報に対応する前記画像を前記記録媒体から読み出し、当該読み出した画像を、複数の前記記録情報の中から再生すべき前記記録情報を選択するためのメニュー画像として合成し出力するメニュー出力手段と、
前記出力されたメニュー画像を用いて再生すべき前記記録情報を選択する情報選択手段と、
前記選択された記録情報を再生する再生手段と、
を備えることを特徴とする情報再生装置。
【請求項５】
一又は複数の画像を少なくとも含む記録情報が記録されている記録媒体から当該記録情報を再生する情報再生装置において、
前記記録情報の再生中に出力される前記画像のうち、いずれか一の画像を選択する選択手段と、
前記選択された画像を、前記再生されている記録情報を示す識別画像として当該記録情報毎に前記記録媒体に記録する記録手段と、
複数の前記記録情報に対応する複数の前記識別画像を前記記録媒体から検出し、複数の前記記録情報の中から再生すべき前記記録情報を選択するためのメニュー画像として合成し出力する出力手段と、
前記出力されたメニュー画像を用いて再生すべき前記記録情報を選択する情報選択手段と、
前記選択された記録情報を再生する再生手段と、
を備えることを特徴とする情報再生装置。
【請求項６】
一又は複数の画像を少なくとも含む記録情報が記録されている記録媒体から当該記録情報を再生する情報再生装置において、
前記記録情報の再生中に出力される前記画像のうち、いずれか一の画像を選択する選択手段と、
前記選択された画像を示す指示情報を、前記再生されている記録情報を示す識別情報として前記記録媒体に記録する記録手段と、
複数の前記記録情報に対応する複数の前記指示情報を前記記録媒体から検出すると共に各前記記録情報毎に当該検出した指示情報に対応する前記画像を前記記録媒体から読み出し、当該読み出した画像を、複数の前記記録情報の中から再生すべき前記記録情報を選択するためのメニュー画像として合成し出力する出力手段と、
前記出力されたメニュー画像を用いて再生すべき前記記録情報を選択する情報選択手段と、前記選択された記録情報を再生する再生手段と、
を備えることを特徴とする情報再生装置。
【発明の詳細な説明】
【技術分野】
【０００１】
本願は、本願は、複数の画像を少なくとも含む情報を記録又は再生する情報記録装置及び情報再生装置の技術分野に属し、より詳細には、記録されている情報の再生時に複数の当該情報の中から一の情報を選択するためのメニュー画面を表示するための記録を行う情報記録装置又は当該メニュー画面を用いて再生すべき情報を選択して再生する情報再生装置の技術分野に属する。
【背景技術】
【０００２】
従来、記録媒体に記録されている複数の情報を再生する場合に、当該複数の情報のうち、再生すべき一の情報を選択するためのメニュー画面を表示することにより当該表示されたメニュー画面を用いて情報を選択して再生することが広く行われていた。
【０００３】
そして、当該メニュー画面として表示される情報としては、例えば、記録されている各情報のタイトルを示す文字情報を表示する他に、当該記録されている各情報における先頭の画像を夫々含むメニュー画面を表示することが一般に行われている。
【発明の開示】
【発明が解決しようとする課題】
【０００４】
しかしながら、上記各情報における先頭の画像を夫々含むメニュー画面を表示する場合には、当該メニュー画面内に含ませるべき画像は、情報の記録者が予めその先頭の画像を記録しておくことが必要であり、この場合には、情報の再生を行う使用者が自己が各情報を識別しやすいようにメニュー画面を構成し直すことができず、情報の再生を効率的にできないという問題点があった。
【０００５】
また、例えば、情報を記録した者と再生する者とが同一である場合においても、各情報を識別しやすい画像を再生時に選んでメニュー画面を構成できないので、上記と同様に情報の再生を効率的にできないという問題点があった。
【０００６】
そこで、本願は、上記の各問題点に鑑みて為されたもので、その課題は、記録されている情報を識別しやすい画像を用いてメニュー画面を構成し、当該情報を再生することが可能となるように当該情報を記録することが可能な情報記録装置及び当該メニュー画面を用いて情報を再生することが可能な情報再生装置を提供することにある。
【課題を解決するための手段】
【０００７】
上記の課題を解決するために、請求項１に記載の発明は、一又は複数の画像を少なくとも含む記録情報を光ディスク等の記録媒体に記録する情報記録装置において、前記記録情報の記録中において、前記画像を出力するピックアップ等の出力手段と、前記記録情報の記録中において、前記出力された画像のうち、いずれか一の画像を選択する画面選択ボタン等の選択手段と、前記選択された画像を、前記記録中の記録情報を示す識別画像として当該記録情報毎に前記記録媒体に記録するピックアップ等の記録手段と、を備える。
【０００８】
請求項１に記載の発明の作用によれば、出力手段は、記録情報の記録中において当該記録情報に含まれる画像を出力する。
【０００９】
次に、選択手段は、記録情報の記録中において、出力された画像のうち、いずれか一の画像を選択する。
【００１０】
更に、記録手段は、選択された画像を、記録中の記録情報を示す識別画像として当該記録情報毎に記録媒体に記録する。
【００１１】
よって、記録情報毎に識別画像を選択して記録しておくことができるので、記録情報を再生する際に、記録されている識別画像を検出して再生すべき記録情報を選択するためのメニュー画像として合成し出力すれば、再生すべき記録情報に最も相応しい画像を用いて再生すべき記録情報を選択することができる。
【００１２】
上記の課題を解決するために、請求項２に記載の発明は、請求項１に記載の情報記録装置により前記記録媒体に記録された前記記録情報を再生する情報再生装置において、複数の前記記録情報に対応する複数の前記識別画像を前記記録媒体から検出し、複数の前記記録情報の中から再生すべき前記記録情報を選択するためのメニュー画像として合成し出力するメニュー画面生成回路等のメニュー出力手段と、前記出力されたメニュー画像を用いて再生すべき前記記録情報を選択する操作部等の情報選択手段と、前記選択された記録情報を再生するピックアップ等の再生手段と、を備える。
【００１３】
請求項２に記載の発明の作用によれば、メニュー出力手段は、請求項１に記載の発明の作用により記録されている複数の記録情報に対応する複数の識別画像を記録媒体から検出し、複数の前記記録情報の中から再生すべき前記記録情報を選択するためのメニュー画像として合成し出力する。
【００１４】
そして、選択手段は、出力されたメニュー画像を用いて再生すべき記録情報を選択する。
【００１５】
最後に、再生手段は、選択された記録情報を再生する。
【００１６】
よって、記録情報の再生時に、記録情報毎に記録されている識別画像を用いてメニュー画面を合成するので、再生すべき記録情報に最も相応しい画像を用いて再生すべき記録情報を選択することができる。
【００１７】
上記の課題を解決するために、請求項３に記載の発明は、一又は複数の画像を少なくとも含む記録情報を光ディスク等の記録媒体に記録する情報記録装置において、前記記録情報の記録中において、前記画像を出力するピックアップ等の出力手段と、前記記録情報の記録中において、前記出力された画像のうち、いずれか一の画像を選択する画面選択ボタン等の選択手段と、前記選択された画像を示す指示情報を、前記記録中の記録情報を示す識別情報として当該記録情報毎に前記記録媒体に記録するピックアップ等の記録手段と、を備える。
【００１８】
請求項３に記載の発明の作用によれば、出力手段は、記録情報の記録中において当該記録情報に含まれる画像を出力する。
【００１９】
次に、選択手段は、記録情報の記録中において、出力された画像のうち、いずれか一の画像を選択する。
【００２０】
更に、記録手段は、選択された画像を示す指示情報を、記録中の記録情報を示す識別情報として当該記録情報毎に記録媒体に記録する。
【００２１】
よって、記録情報毎に選択された画像に対応する指示情報を記録しておくことができるので、記録情報を再生する際に、記録されている指示情報に基づいて当該選択された画像を検出して再生すべき記録情報を選択するためのメニュー画像として合成し出力すれば、再生すべき記録情報に最も相応しい画像を用いて再生すべき記録情報を選択することができる。
【００２２】
上記の課題を解決するために、請求項４に記載の発明は、請求項３に記載の情報記録装置により前記記録媒体に記録された前記記録情報を再生する情報再生装置において、複数の前記記録情報に対応する複数の前記指示情報を前記記録媒体から検出すると共に各前記記録情報毎に当該検出した指示情報に対応する前記画像を前記記録媒体から読み出し、当該読み出した画像を、複数の前記記録情報の中から再生すべき前記記録情報を選択するためのメニュー画像として合成し出力するメニュー画面生成回路等のメニュー出力手段と、前記出力されたメニュー画像を用いて再生すべき前記記録情報を選択する操作部等の情報選択手段と、前記選択された記録情報を再生するピックアップ等の再生手段と、を備える。
【００２３】
請求項４に記載の発明の作用によれば、メニュー出力手段は、請求項３に記載の発明の作用により記録されている複数の記録情報に対応する複数の指示情報を記録媒体から検出すると共に各記録情報毎に当該検出した指示情報に対応する画像を記録媒体から読み出し、当該読み出した画像を、複数の記録情報の中から再生すべき記録情報を選択するためのメニュー画像として合成し出力する。
【００２４】
次に、情報選択手段は、出力されたメニュー画像を用いて再生すべき記録情報を選択する。
【００２５】
更に、再生手段は、選択された記録情報を再生する。
【００２６】
よって、記録情報の再生時に、記録情報毎に記録されている複数の指示情報に基づいて記録情報の記録時に選択された画像を検出して再生すべき記録情報を選択するためのメニュー画像として出力するので、再生すべき記録情報に最も相応しい画像を用いて再生すべき記録情報を選択することができる。
【００２７】
上記の課題を解決するために、請求項５に記載の発明は、一又は複数の画像を少なくとも含む記録情報が記録されている光ディスク等の記録媒体から当該記録情報を再生する情報再生装置において、前記記録情報の再生中に出力される前記画像のうち、いずれか一の画像を選択する画面選択ボタン等の選択手段と、前記選択された画像を、前記再生されている記録情報を示す識別画像として当該記録情報毎に前記記録媒体に記録するピックアップ等の記録手段と、複数の前記記録情報に対応する複数の前記識別画像を前記記録媒体から検出し、複数の前記記録情報の中から再生すべき前記記録情報を選択するためのメニュー画像として合成し出力するメニュー画面生成回路等の出力手段と、前記出力されたメニュー画像を用いて再生すべき前記記録情報を選択する操作部等の情報選択手段と、前記選択された記録情報を再生するピックアップ等の再生手段と、を備える。
【００２８】
請求項５に記載の発明の作用によれば、選択手段は、記録情報の再生中に出力される画像のうち、いずれか一の画像を選択する。
【００２９】
そして、記録手段は、選択された画像を、再生されている記録情報を示す識別画像として当該記録情報毎に記録媒体に記録する。
【００３０】
一方、メニュー出力手段は、複数の記録情報に対応する複数の識別画像を記録媒体から検出し、複数の記録情報の中から再生すべき記録情報を選択するためのメニュー画像として合成し出力する。
【００３１】
そして、情報選択手段は、出力されたメニュー画像を用いて再生すべき記録情報を選択する。
【００３２】
最後に、再生手段は、選択された記録情報を再生する。
【００３３】
よって、記録情報毎に識別画像を選択して記録し、記録情報の再生時に複数の識別画像を用いてメニュー画面を合成するので、再生すべき記録情報に最も相応しい画像を用いて再生すべき記録情報を選択することができる。
【００３４】
上記の課題を解決するために、請求項６に記載の発明は、一又は複数の画像を少なくとも含む記録情報が記録されている光ディスク等の記録媒体から当該記録情報を再生する情報再生装置において、前記記録情報の再生中に出力される前記画像のうち、いずれか一の画像を選択する画面選択ボタン等の選択手段と、前記選択された画像を示す指示情報を、前記再生されている記録情報を示す識別情報として前記記録媒体に記録するピックアップ等の記録手段と、複数の前記記録情報に対応する複数の前記指示情報を前記記録媒体から検出すると共に各前記記録情報毎に当該検出した指示情報に対応する前記画像を前記記録媒体から読み出し、当該読み出した画像を、複数の前記記録情報の中から再生すべき前記記録情報を選択するためのメニュー画像として合成し出力するメニュー画面生成回路等の出力手段と、前記出力されたメニュー画像を用いて再生すべき前記記録情報を選択する操作部等の情報選択手段と、前記選択された記録情報を再生するピックアップ等の再生手段と、を備える。
【００３５】
請求項６に記載の発明の作用によれば、選択手段は、記録情報の再生中に出力される画像のうち、いずれか一の画像を選択する。
【００３６】
そして、記録手段は、選択された画像を示す指示情報を、再生されている記録情報を示す識別情報として当該記録情報毎に記録媒体に記録する。
【００３７】
一方、メニュー出力手段は、複数の記録情報に対応する複数の指示情報を記録媒体から検出すると共に各記録情報毎に当該検出した指示情報に対応する画像を記録媒体から読み出し、当該読み出した画像を、複数の記録情報の中から再生すべき記録情報を選択するためのメニュー画像として合成し出力する。
【００３８】
そして、選択手段は、出力されたメニュー画像を用いて再生すべき記録情報を選択する。
【００３９】
最後に、再生手段は、選択された記録情報を再生する。
【００４０】
よって、記録情報毎に指示情報を記録し、記録情報の再生時に複数の指示情報に基づいて当該選択された画像を検出して再生すべき記録情報を選択するためのメニュー画像として出力するので、再生すべき記録情報に最も相応しい画像を用いて再生すべき記録情報を選択することができる。
【発明の効果】
【００４１】
請求項１に記載の発明によれば、記録情報毎に識別画像を選択して記録しておくことができるので、記録情報を再生する際に、記録されている識別画像を検出して再生すべき記録情報を選択するためのメニュー画像として合成し出力すれば、再生すべき記録情報に最も相応しい画像を用いて再生すべき記録情報を選択することができる。
【００４２】
従って、記録情報の再生時に、一目で記録情報の内容が理解できる識別画像を用いて効率的に当該記録情報を選択して再生することができる。
【００４３】
請求項２に記載の発明によれば、記録情報毎に記録されている識別画像を用いてメニュー画面を合成するので、再生すべき記録情報に最も相応しい画像を用いて再生すべき記録情報を選択することができる。
【００４４】
従って、一目で記録情報の内容が理解できる識別画像を用いて効率的に当該記録情報を選択して再生することができる。
【００４５】
請求項３に記載の発明によれば、記録情報毎に選択された画像に対応する指示情報を記録しておくことができるので、記録情報を再生する際に、記録されている指示情報に基づいて当該選択された画像を検出して再生すべき記録情報を選択するためのメニュー画像として合成し出力すれば、再生すべき記録情報に最も相応しい画像を用いて再生すべき記録情報を選択することができる。
【００４６】
従って、記録情報の再生時に、一目で記録情報の内容が理解できる画像を用いて効率的に当該記録情報を選択して再生することができる。
【００４７】
請求項４に記載の発明によれば、記録情報毎に記録されている複数の指示情報に基づいて記録情報の記録時に選択された画像を検出して再生すべき記録情報を選択するためのメニュー画像として出力するので、再生すべき記録情報に最も相応しい画像を用いて再生すべき記録情報を選択することができる。
【００４８】
従って、一目で記録情報の内容が理解できる識別画像を用いて効率的に当該記録情報を選択して再生することができる。
【００４９】
請求項５に記載の発明によれば、記録情報毎に識別画像を選択して記録し、記録情報の再生時に複数の識別画像を用いてメニュー画面を合成するので、再生すべき記録情報に最も相応しい画像を用いて再生すべき記録情報を選択することができる。
【００５０】
従って、記録情報の再生時に、一目で記録情報の内容が理解できる識別画像を用いて効率的に当該記録情報を選択して再生することができる。
【００５１】
請求項６に記載の発明によれば、記録情報毎に指示情報を記録し、記録情報の再生時に複数の指示情報に基づいて当該選択された画像を検出して再生すべき記録情報を選択するためのメニュー画像として出力するので、再生すべき記録情報に最も相応しい画像を用いて再生すべき記録情報を選択することができる。
【００５２】
従って、記録情報の再生時に、一目で記録情報の内容が理解できる画像を用いて効率的に当該記録情報を選択して再生することができる。
【発明を実施するための最良の形態】
【００５３】
次に、本願に好適な実施の形態について、図面に基づいて説明する。なお、以下に説明する実施の形態は、光学的に情報の記録及び再生が可能なディスク状の記録媒体（具体的には、例えば、ＣＤ−Ｒ（Compact Disk−Recordable）、ＤＶＤ−Ｒ（ＤＶＤ−Recordable）又は複数回情報の書き換えが可能なＤＶＤ等であり、以下、単に光ディスクと称する。）に対して情報の記録及び再生が可能な情報記録再生装置に対して本願を適用した場合の実施形態である。
【００５４】
（Ｉ）第１実施形態
始めに、本願に係る第１の実施形態について、図１乃至図５を用いて説明する。
【００５５】
先ず、図１及び図２を用いて第１実施形態に係る情報記録再生装置の構成について説明する。
【００５６】
図１に示すように、実施形態の情報記録再生装置Ｓは、出力手段、記録手段及び再生手段としてのピックアップ２と、Ａ／Ｄ（アナログ／ディジタル）コンバータ３と、ＭＰＥＧ（Moving Picture Coding Expert Group）エンコーダ４と、マルチプレクサ５と、記録エンコーダ６と、記録回路７と、再生回路８と、再生デコーダ９と、マルチプレクサ１０と、ＭＰＥＧデコーダ１１と、メニュー出力手段としてのメニュー画面生成回路１２と、Ｄ／Ａコンバータ１３と、静止画エンコーダ１４と、バッファ１５と、スピンドルモータ１６と、ＣＰＵ１７と、サーボ回路１８と、表示部１９と、情報選択手段としての操作部２０と、スイッチ２１及び２２と、により構成されている。
【００５７】
また、操作部２０は、後述する処理によりメニュー画面上で後述のプログラムを示す画像を選択するための選択手段としての画面選択ボタン２０ａを含んでいる。
【００５８】
更に、図２に示すように、メニュー画面生成回路１２は、キャプチャ部２３と、縮尺変更部２４と、メモリ２５と、ＧＵＩ（Graphical Users Interface）画面生成部２６と、合成部２７と、により構成されている。
【００５９】
次に、各構成部材個々の概要動作を図１及び図２を用いて説明する。
【００６０】
始めに、外部からの記録すべき情報（当該記録すべき情報としては、具体的には、画像情報及び音声情報の双方が含まれる。）を記録媒体としての光ディスク１に記録する場合について説明する。
【００６１】
外部からの上記記録すべき情報に対応する情報信号Ｓinが入力されてくると、Ａ／Ｄコンバータ３は当該情報信号Ｓinをディジタル化し、ディジタル信号Ｓdを生成してＭＰＥＧエンコーダ４へ出力する。
【００６２】
そして、ＭＰＥＧエンコーダ４は、ＣＰＵ１７から出力されている制御信号Ｓ７に基づいて、入力されてくるディジタル信号ＳdをＭＰＥＧ２方式で圧縮し、圧縮信号Ｓeを生成してマルチプレクサ５及び１０に出力する。
【００６３】
そして、マルチプレクサ５は、ＣＰＵ１７から出力されている制御信号Ｓ５に基づいて、入力されてくる上記圧縮信号Ｓeと後述のバッファ信号Ｓboとを必要に応じて切り換え、切換記録信号Ｓmrを生成して記録エンコーダ６へ出力する。
【００６４】
そして、記録エンコーダ６は、ＣＰＵ１７から出力されている制御信号Ｓ３に基づいて、入力されてくる切換記録信号Ｓmrに対して、当該切換記録信号Ｓmrのフォーマットを光ディスク１に記録する際のフォーマットに変換するいわゆるフォーマッティング処理を施し、記録エンコード信号Ｓreを生成して記録回路７へ出力する。
【００６５】
これと並行して、記録エンコーダ６は、上記制御信号Ｓ３に基づき、必要に応じて、生成された記録エンコード信号Ｓreに基づいて記録すべき後述の記録信号Ｓrの光ディスク１上の位置（すなわち、記録すべき情報が記録される光ディスク１上の位置）を示す記録アドレス信号ＳraをＣＰＵ１７に出力する。
【００６６】
次に、記録回路７は、ＣＰＵ１７から出力されている制御信号Ｓ２に基づいて、入力されてくる記録エンコード信号Ｓreを記録用の記録信号Ｓrに変換し、ピックアップ２へ出力する。このとき記録回路７においては、記録すべき情報に正確に対応した形状のピットを後述の光ディスク１上に形成すべく、記録エンコード信号Ｓreに対していわゆるライトストラテジ処理等が施される。
【００６７】
次に、ピックアップ２は、記録回路７から出力されている記録信号Ｓrに基づいて、当該ピックアップ２内の図示しない半導体レーザ等の光源を駆動してレーザ光等の光ビームＢを生成して光ディスク１の情報記録面に照射し、当該記録信号Ｓrに対応するピットを形成することにより記録信号Ｓrを光ディスク１上に記録する。このとき、当該光ディスク１は、後述するスピンドル制御信号Ｓsmに基づいて駆動されるスピンドルモータ１６により所定の回転数で回転されている。なお、当該光ディスク１上では、例えば、相変化方式により記録信号Ｓrに対応するピットが形成されて当該記録信号Ｓrが記録される。
【００６８】
一方、マルチプレクサ１０に出力されている上記圧縮信号Ｓeは、当該マルチプレクサ１０を通過し、再生切換信号ＳmpとしてＭＰＥＧデコーダ１１に出力される。
【００６９】
そして、ＭＰＥＧデコーダ１１は、ＣＰＵ１７から出力されている制御信号Ｓ９に基づいて、入力されてくる再生切換信号Ｓmp（情報の記録時においては、上記圧縮信号Ｓeそのもの。）に対してＭＰＥＧ２方式による伸長処理を施し、デコード信号Ｓdcとしてメニュー画面生成回路１２、静止画エンコーダ１４並びにスイッチ２２の一方の入力端子へ出力する。
【００７０】
次に、静止画エンコーダ１４は、ＣＰＵ１７から出力されている制御信号Ｓ１１に基づいて、入力されてくるデコード信号Ｓdcに含まれる画像情報から、後述する処理によりメニュー画面Ｍ内の画像を更新するために選択された画像を静止画としてエンコードし、静止画エンコード信号Ｓseとしてスイッチ２１の一方の入力端子に出力する。
【００７１】
そして、スイッチ２１は、ＣＰＵ１７から出力されている制御信号Ｓ１０に基づき、上記静止画エンコード信号ＳseとＣＰＵ１７から出力されてくる後述するアドレス情報信号Ｓaddとを切り換え、切換信号Ｓbeとしてバッファ１５へ出力する。
【００７２】
そして、バッファ１５は、ＣＰＵ１７から出力されている制御信号Ｓ８に基づいて、上記切換信号Ｓbeを一時的に記憶すると共に読み出し、上記バッファ信号Ｓboとして上記マルチプレクサ５に出力する。
【００７３】
一方、情報記録時においては、スイッチ２２は、ＣＰＵ１７から出力されている制御信号Ｓ１３に基づいて、デコード信号Ｓdc側に切り換えられている。
【００７４】
そして、デコード信号Ｓdcは、スイッチ２２から切換信号ＳchとしてＤ／Ａコンバータ１３に出力される。
【００７５】
次に、Ｄ／Ａコンバータ１３は、切換信号Ｓchをアナログ化し、上記情報信号Ｓinに対応する出力信号Ｓoutを生成して後述する外部のモニタ又は図示しないスピーカ等に出力する。
【００７６】
以上の一連の情報記録時の動作により、現在記録されている記録信号Ｓrに対応する画像又は音声を実時間でモニタしつつ記録することができる。なお、この情報記録時には、メニュー画面生成回路１２は動作しない。
【００７７】
次に、光ディスク１に記録されている情報を再生する場合の動作について説明する。
【００７８】
再生時においては、先ず、ピックアップ２が再生用の光ビームＢを回転する光ディスク１に照射し、その反射光に基づいて光ディスク１上に形成されているピットに対応する検出信号Ｓpを生成し、再生回路８に出力する。
【００７９】
次に、再生回路８は、ＣＰＵ１７から出力されている制御信号Ｓ１に基づいて、出力された検出信号Ｓpを所定の増幅率で増幅すると共にその波形を整形し、再生信号Ｓppを生成して再生デコーダ９に出力する。
【００８０】
そして、再生デコーダ９は、ＣＰＵ１７から出力されている制御信号Ｓ４に基づいて、入力されてくる再生信号Ｓppに対して上記記録エンコーダ６におけるフォーマッティング処理に対応するアンフォーマッティング処理を施して再生デコード信号Ｓpdを生成し、マルチプレクサ１０に出力する。
【００８１】
これと並行して、再生デコーダ９は、上記制御信号Ｓ４に基づき、必要に応じて、生成された再生デコード信号Ｓpdに対応する再生信号Ｓppの光ディスク１上の記録されていた位置（すなわち、再生された情報が記録されていた光ディスク１上の位置）を示す再生アドレス信号ＳpaをＣＰＵ１７に出力する。
【００８２】
次に、マルチプレクサ１０は、ＣＰＵ１７から出力されている制御信号Ｓ６に基づいて、入力されてくる再生デコード信号Ｓpdを通過させ、上記再生切換信号ＳmpとしてＭＰＥＧデコーダ１１に出力する。
【００８３】
そして、ＭＰＥＧデコーダ１１は、ＣＰＵ１７から出力されている制御信号Ｓ９に基づき、入力されてくる再生切換信号Ｓmpに対して上述した伸長処理を施し、上記デコード信号Ｓdcを生成してメニュー画面生成回路１２、静止画エンコーダ１４並びにスイッチ２２の一方の入力端子へ出力する。
【００８４】
その後、静止画エンコーダ１４、スイッチ２１及びバッファ１５はデコード信号Ｓdcに対して上述した動作を行い、バッファ信号Ｓboをマルチプレクサ５に出力する。
【００８５】
そして、マルチプレクサ５、記録エンコーダ６、記録回路７及びピックアップ２は、情報の再生時においては、後述する処理によりバッファ信号Ｓboのみを光ディスク１上に記録する。このとき、ピックアップ２は、生成した検出信号Ｓpが図示しないバッファに蓄積され、当該蓄積された検出信号Ｓpが蓄積速度よりも遅い速度で当該図示しないバッファから出力されている時間（すなわち、検出信号Ｓpの生成をする必要がない時間）を利用して上記バッファ信号Ｓboを記録信号Ｓrとして光ディスク１に記録する。
【００８６】
一方、メニュー画面生成回路１２は、ＣＰＵ１７から出力されている制御信号Ｓ１２に基づき、入力されてくるデコード信号Ｓdcの中から当該制御信号Ｓ１２により指定されている画像を用いて、情報再生時にいずれのプログラムを再生すべきかを選択するためのメニュー画面Ｍを生成し、メニュー信号Ｓmyとしてスイッチ２２の他方の入力端子に出力する。
【００８７】
そして、スイッチ２２は、ＣＰＵ１７から出力されている制御信号Ｓ１３に基づいて、入力されてくるメニュー信号Ｓｍｙと上記デコード信号Ｓdcとを切り換え、上記切換信号ＳchとしてＤ／Ａコンバータ１３に出力する。
【００８８】
そして、Ｄ／Ａコンバータ１３は、切換信号Ｓchをアナログ化し、上記情報信号Ｓin又はメニュー信号Ｓｍｙに対応するメニュー画面Ｍのいずれか一方を含む出力信号Ｓoutを生成して後述する外部のモニタ又は図示しないスピーカ等に出力する。
【００８９】
以上説明した各構成部材による情報記録及び情報再生の動作に伴い、ＣＰＵ１７は、入力されてくる上記記録アドレス信号Ｓra又は再生アドレス信号Ｓpa等に基づいて、後述のフローチャートで示す処理を実行するように上記各制御信号Ｓ１乃至Ｓ１３を夫々出力する。このとき、操作部２０は、それに含まれる各キー（上記画面選択ボタン２０ａの他に、停止キー、記録キー、再生キー及び一時停止キー等を含む。）が使用者により操作されることにより、上記各構成部材の動作を制御するための当該操作に対応する指示信号ＳcをＣＰＵ１７に出力し、当該指示信号Ｓcに基づいてＣＰＵ１７が上記各制御信号Ｓ１乃至Ｓ１３を夫々出力する。
【００９０】
これと並行して、ＣＰＵ１７は、スピンドルモータ１６及びピックアップ２をサーボ制御するための制御信号Ｓsを生成してサーボ回路１８に出力し、当該サーボ回路１８は、制御信号Ｓsに基づいてスピンドルモータ１６の回転を制御するための上記スピンドル制御信号Ｓsmを生成して当該スピンドルモータ１６に出力すると共に、ピックアップ２におけるいわゆるトラッキングサーボ制御及びフォーカスサーボ制御のためのピックアップ制御信号Ｓspを生成して当該ピックアップ２に出力する。そして、ピックアップ２は、当該ピックアップ制御信号Ｓspに基づき、光ビームＢに対してトラッキングサーボ制御及びフォーカスサーボ制御を施しつつ上記記録信号Ｓrの記録又は検出信号Ｓpの検出を行う。
【００９１】
なお、上述した情報記録再生装置Ｓの動作を使用者が制御するために必要な情報は、ＣＰＵ１７からの表示信号Ｓdpに基づいて表示部１９に表示される。
【００９２】
次に、上記情報再生時におけるメニュー画面生成回路１２内の各構成部材の動作について、図２を用いて説明する。
【００９３】
図２に示すように、メニュー画面生成回路１２内のキャプチャ部２３は、ＣＰＵ１７から出力されている上記制御信号Ｓ１２に含まれている制御信号Ｓ１４に基づいて、入力されてくるデコード信号Ｓdcの内、メニュー画面Ｍを構成するために用いられる画像に対応する信号を一時的に記憶し、キャプチャ信号Ｓcpとして縮尺変更部２４に出力する。
【００９４】
そして、縮尺変更部２４は、上記制御信号Ｓ１２に含まれている制御信号Ｓ１５に基づいて、キャプチャ信号Ｓcp内に含まれている画像をメニュー画面Ｍを構成するのに必要な縮尺に変更し、縮尺信号Ｓexとしてメモリ２５に出力する。
【００９５】
その後、メモリ２５は、縮尺信号Ｓexを一時的に記憶した後に合成部２７へ出力する。
【００９６】
一方、ＧＵＩ画面生成部２６は、上記制御信号Ｓ１２に含まれている制御信号Ｓ１５に基づいて、縮尺信号Ｓexに含まれる画像以外のメニュー画面Ｍを構成するために必要な画像（いわゆるアイコン又はボタン等）を生成し、画像信号Ｓgとして合成部２７に出力する。
【００９７】
そして、合成部２７は、上記制御信号Ｓ１２に含まれている制御信号Ｓ１６に基づき、上記縮尺信号Ｓex、画像信号Ｓg及びデコード信号Ｓdcを用いてメニュー画面Ｍを生成し、上記メニュー信号Ｓmyとしてスイッチ２２に出力する。
【００９８】
次に、第１実施形態に係る情報記録再生装置の情報記録動作について、図１乃至図５を用いて説明する。ここで、以下に説明する情報記録動作は、記録すべき記録情報を記録する度に当該記録情報毎に実行されるものである。
【００９９】
なお、以下の説明では、光ディスク１に対して記録すべき記録情報又は光ディスク１に既に記録されている記録情報を、その単位毎にプログラムと称する。
【０１００】
また、第１実施形態における光ディスク１には、上記プログラムが記録される記録領域の他に、当該プログラムを再生する際にいずれのプログラムを再生するかを選択するためのメニュー画面を構成するための画像であって、夫々のプログラムを認識するのに適した画像（具体的には、夫々のプログラムの内容を象徴するような画像）を記録しておくタイトル領域（各プログラム毎に設定される。）が含まれている。
【０１０１】
更に、第１実施形態においては、スイッチ２１は常に静止画エンコード信号Ｓse側に切り換えられている。
【０１０２】
始めに、図１及び図３（ａ）を用いて情報記録の全体動作について説明する。
【０１０３】
第１実施形態の情報記録装置Ｓにおいて情報記録動作が開始されると（ステップＳ１）、始めに、記録すべきプログラムの番号を決定する（ステップＳ２）。このプログラム番号の設定に際しては、使用者が予め操作部２０における操作により指定してこれをＣＰＵ１７が認識するようにしてもよいし、ＣＰＵ１７が情報の記録に際して光ディスク１に既に記録されているプログラムの関連情報（例えば、各プログラムの番号、名称及び記録されている光ディスク１上の位置を示すアドレス情報等）を読み出し、記録されるプログラムに対して既にある番号以外の番号を新たに自動的に付与するようにしてもよい。更に、当該プログラム番号の決定に伴い、光ディスク１上に新たなタイトル領域（当該プログラム番号を有するプログラムに対応するタイトル領域）が確保される。
【０１０４】
プログラム番号が決定されると、記録すべきプログラムに対応する情報信号Ｓinの入力が開始され、ＣＰＵ１７の制御によりＡ／Ｄコンバータ３におけるＡ／Ｄ変換処理及びＭＰＥＧエンコーダ４における圧縮処理が開始されると共に、当該プログラムにおける先頭の画像を示すＩピクチャ（Intra−picture（フレーム内符号化画像）の略であり、ＭＰＥＧ２方式の画像圧縮処理において、それのみで一枚の完成された画像を再生することが可能な画像情報を含む一単位）がマルチプレクサ１０を介してＭＰＥＧデコーダ１１に入力され、当該ＭＰＥＧデコーダ１１において伸長された後に静止画エンコーダ１４において当該先頭の画像が当該Ｉピクチャに対応する静止画としてエンコードされ、対応する切換信号Ｓbeがスイッチ１５を介してバッファ１５に一時的に記憶される（ステップＳ３）。
【０１０５】
そして、引き続き入力されている情報信号Ｓinに基づく記録信号Ｓrの記録処理が実行される（ステップＳ４）。
【０１０６】
次に、バッファ１５が切換信号Ｓbe（すなわち、記録すべきプログラム内のいずれかの静止画に対応する切換信号Ｓbe）で満たされたか否かが判定され（ステップＳ５）、満たされていないときは（ステップＳ５；ｎｏ）そのままステップＳ７に移行する。
【０１０７】
一方、ステップＳ５の判定において、バッファ１５が切換信号Ｓbeで満たされているときは（ステップＳ５；ｙｅｓ）、次に、バッファ１５に貯まった切換信号Ｓbe内におけるＩピクチャを、ステップＳ２で決定されたプログラム番号に対応して確保されているタイトル領域内に記録させる（ステップＳ６）。この場合には、バッファ信号Ｓboがマルチプレクサ５、記録エンコーダ６及び記録回路７を介してピックアップ２により対応するタイトル領域に記録されることとなる。
【０１０８】
次に、操作部２０において記録動作の終了を示す操作が為されたか否かが判定され（ステップＳ７）、操作されているときは（ステップＳ７；ｙｅｓ）、そのまま記録処理を終了し、操作されていないときは（ステップＳ７；ｎｏ）記録処理を継続すべくステップＳ４に戻る。
【０１０９】
次に、図３（ａ）の全体動作中に行われる割り込み処理について、図３（ｂ）を用いて説明する。なお、図３（ａ）に示す全体動作中において図３（ｂ）に示す割り込み処理の割り込みが許可されるのは、上記ステップＳ４開始後ステップＳ６開始前までの間である。
【０１１０】
図３（ｂ）に示す割り込み処理は、操作部２０内の画面選択ボタン２０ａが操作されることにより開始される。
【０１１１】
すなわち、ＣＰＵ１７は、図３（ａ）に示すステップＳ４開始後ステップＳ６開始前までの間、常に画面選択ボタン２０ａが操作されたか否かを監視する（ステップＳ１０）。
【０１１２】
そして、操作されていないときは（ステップＳ１０；ｎｏ）、そのままもとの全体動作を実行し、操作されているときは（ステップＳ１０：ｙｅｓ）、ＭＰＥＧエンコーダ４内に入力されているディジタル信号Ｓdの中から、当該操作されたタイミングに最も近いタイミングで入力される画像に対応するＩピクチャを検索する（ステップＳ１１）。
【０１１３】
そして、検索されたＩピクチャに対応する静止画が、ＭＰＥＧエンコーダ４、マルチプレクサ１０、静止画エンコーダ１４、スイッチ２１を介してバッファ１５内に切換信号Ｓbeとして格納され（ステップＳ１２）、元の全体動作に戻る。このとき、バッファ１５内に既に他のＩピクチャに対応する静止画を示す切換信号Ｓbeが格納されているときは、それに上書きして上記検索されたＩピクチャに対応する静止画を示す切換信号Ｓbeを記憶する。
【０１１４】
以上の割り込み処理が実行された後に上記ステップＳ６の処理が実行されることにより、プログラムを記録する使用者が所望する当該プログラム中の画像が、当該プログラムを象徴する画像として光ディスク１内のタイトル領域に記録される。
【０１１５】
次に、図１、図２、図４及び図５を用いて光ディスク１に記録されているプログラムの再生の全体動作について説明する。ここで、以下に説明する情報再生動作は、再生すべきプログラムを再生する度に当該プログラム毎に実行されるものである。
【０１１６】
先ず、図４（ａ）に示すように、第１実施形態の情報記録装置Ｓにおいて情報再生動作が開始されると（ステップＳ１５）、始めに、光ディスク１上のタイトル領域に記録されている各プログラムに対応するＩピクチャをピックアップ２等を介してメニュー画面生成部１２において検出し、当該検出した各プログラムに対応するＩピクチャを用いて上記メニュー画面Ｍを生成する（ステップＳ１６）。このとき、図５（ａ）左側に示すように、光ディスク１上の各タイトル領域Ｔ１、Ｔ２、Ｔ３…には、初期設定として、各プログラムの先頭の画像に対応するＩピクチャを示すバッファ信号Ｓbo（記録信号Ｓr）が記録されているものとする。
【０１１７】
また、スイッチ２２はメニュー画面生成回路１２側に切り換えられており、生成されたメニュー画面Ｍに対応するメニュー信号Ｓmyは、切換信号ＳchとしてＤ／Ａコンバータ１３を介して外部のモニタに出力される。更に、当該メニュー画面Ｍについて具体的には、例えば、図５（ａ）右側に示すように、メニュー画面Ｍ内に、各プログラムを示す画像Ｍ１乃至Ｍ６が表示される。
【０１１８】
メニュー画面Ｍが生成されて表示されると、次に、当該表示されたメニュー画面Ｍに基づいて使用者が操作部２０を操作することにより再生すべきプログラムが決定される（ステップＳ１７）。このときには、図５（ａ）右側に示すメニュー画面Ｍにおいては各画像Ｍ１乃至Ｍ６に対応する部分を操作部２０上で操作することにより再生すべきプログラムが選択される。
【０１１９】
そして、プログラムが選択されると、次にスイッチ２２がデコード信号Ｓdc側に切り換えられると共に、ピックアップ２が再生すべきプログラムに対応する検出信号Ｓpの生成を開始し、上記再生回路８、再生デコーダ９、マルチプレクサ１０、ＭＰＥＧデコーダ１１、スイッチ２２及びＤ／Ａコンバータ１３が再生すべきプログラムに対応する出力信号Ｓoutの出力を開始する（ステップＳ１８）。これと並行して静止画エンコーダ１４は、再生中に使用者が画面選択ボタン２０ａを操作したときは、当該操作が為されたタイミングに最も近いタイミングで再生されるＩピクチャをエンコードし、スイッチ２１を介して当該Ｉピクチャを切換信号Ｓbeとして順次バッファ１５に格納する。
【０１２０】
次に、バッファ１５が切換信号Ｓbe（すなわち、再生すべきプログラム内のいずれかの静止画に対応する切換信号Ｓbe）で満たされたか否かが判定され（ステップＳ１９）、満たされていないときは（ステップＳ１９；ｎｏ）そのままステップＳ２１に移行する。
【０１２１】
一方、ステップＳ１９の判定において、バッファ１５が切換信号Ｓbeで満たされているときは（ステップＳ１９；ｙｅｓ）、次に、バッファ１５に貯まった切換信号Ｓbe（Ｉピクチャ）を、ステップＳ１７で決定されたプログラム番号に対応した光ディスク１上のタイトル領域内に記録させる（ステップＳ２０）。この場合には、上記情報記録時と同様に、バッファ信号Ｓboがマルチプレクサ５、記録エンコーダ６及び記録回路７を介してピックアップ２により対応するタイトル領域に記録される。
【０１２２】
次に、操作部２０において再生動作の終了を示す操作が為されたか否かが判定され（ステップＳ２１）、操作されているときは（ステップＳ２１；ｙｅｓ）、そのまま再生処理を終了し、操作されていないときは（ステップＳ２１；ｎｏ）再生処理を継続すべくステップＳ４に戻る。
【０１２３】
ここで、第１実施形態の情報記録再生装置Ｓにおける情報再生動作においても、上述した図３（ｂ）に示す割り込み処理が実行される。そして、この場合に、図４（ａ）に示す全体動作中において図３（ｂ）に示す割り込み処理の割り込みが許可されるのは、上記ステップＳ１８開始後ステップＳ２０開始前までの間である。
【０１２４】
また、情報再生時には、ＣＰＵ１７が図４（ａ）に示すステップＳ１８開始後ステップＳ２０開始前までの間、常に画面選択ボタン２０ａが操作されたか否かを監視しており、当該画面選択ボタン２０ａが操作されることにより図３（ｂ）に示す割り込み処理が開始される。当該割り込み処理の内容については、図３（ｂ）に示した割り込み処理と全く同様であるので細部の説明は省略する。
【０１２５】
以上説明した情報再生の全体動作及び割り込み処理が実行された後に上記ステップＳ２０の処理が実行されることにより、プログラムを再生中であっても、当該再生を行う使用者が所望する当該プログラム中の画像が、当該プログラムを象徴する画像として光ディスク１内のタイトル領域に記録される。そして、次回に同じプログラムを再生するとき以後は、当該タイトル領域に記録されている画像を用いて上記メニュー画面Ｍが構成されることとなる。
【０１２６】
次に、図２及び図４（ｂ）を用いて、ステップＳ１６の詳細処理について説明する。
【０１２７】
ステップＳ１６のメニュー画面Ｍの生成処理においては、メニュー画面Ｍを構成すべき画像（Ｉピクチャ）が検出されて再生されると（ステップＳ２５）、次に、当該再生された画像に対応するデコード信号Ｓdcがメニュー画面生成回路１２に入力され、一時的にキャプチャ部２３に記憶された後にキャプチャ信号Ｓcpとして縮尺変更部２４に出力される（ステップＳ２６）。
【０１２８】
そして、縮尺変更部２４において、メニュー画面Ｍを構成するために必要な縮尺に変更され（ステップＳ２７）、縮尺信号Ｓexとしてメモリ２５を介して合成部２７に出力される。
【０１２９】
次に、合成部２７は、上記縮尺信号Ｓex、画像信号Ｓg及びデコード信号Ｓdcを用いてメニュー画面Ｍを生成し、上記メニュー信号Ｓmyとしてスイッチ２２に出力し（ステップＳ２８）、ステップＳ１７に移行する。
【０１３０】
ここで、上述したステップＳ１８乃至Ｓ２０の動作（図３（ｂ）に示す割り込み処理を含む。）を実行した場合のメニュー画面Ｍの変化及びタイトル領域の変化を図５を用いて説明すると、例えば、図５（ｂ）に示すようにプログラム２を再生中（ステップＳ１８）に、モニタＤ上に図５（ｂ）中央の画像（「ＡＢＣ」という文字を含む画像）が表示されたときに、当該画像をプログラム２を示す画像としてメニュー画面Ｍ用とすることを企図して使用者が画面選択ボタン２０ａを操作したとすると（ステップＳ１０；ｙｅｓ）、当該画像を示すＩピクチャが検索される（ステップＳ１１）と共にバッファ１５に格納され（ステップＳ１２）、その後、当該バッファ１５内のＩピクチャが、図５（ｃ）左側に示すタイトル領域Ｔ２に記録され（ステップＳ２０）、当該タイトル領域Ｔ２が更新される。
【０１３１】
そして、タイトル領域Ｔ２が更新された以後に再び光ディスク１に記録されているプログラムを再生するときは、その再生に当たって、図５（ｃ）右側に示すメニュー画面Ｍが表示される（ステップＳ１６）。このとき、当該新しく表示されるメニュー画面Ｍでは、プログラム２に対応する画像Ｍ２が、画面選択ボタン２０ａを操作したときに表示されていた画像（図５（ｂ）中央に示す画像）に入れ替わっていることとなる。
【０１３２】
以上説明したように、第１実施形態の情報記録再生装置Ｓの動作によれば、プログラム毎にそれを象徴する画像を選択して光ディスク１に記録し、当該プログラムの再生時に他のプログラムに対応する画像を含めた複数の画像を用いてメニュー画面Ｍを合成するので、再生すべきプログラムに最も相応しい画像を用いて再生すべきプログラムを選択することができる。
【０１３３】
（II）第２実施形態
次に、本願に係る他の実施形態である第２の実施形態について、図６及び図７を用いて説明する。
【０１３４】
上述の第１実施形態においては、各プログラムを象徴する画像に対応するＩピクチャそのものを対応するタイトル領域に記録する場合について説明したが、第２実施形態では、各プログラムを象徴する画像の記録位置を示す光ディスク１上のアドレス情報を用いて当該画像を特定する。
【０１３５】
なお、第２実施形態における情報記録再生装置の構成は、スイッチ２１がアドレス情報信号Ｓadd側に切り換えられている他は第１実施形態の情報記録再生装置Ｓの構成と同様であるので、細部の説明は省略する。更に、図６及び図７に示す処理において、図３又は図４に示す処理と同様の処理については、同様のステップ番号を付して細部の説明は省略する。
【０１３６】
始めに、第２実施形態に係る情報記録再生装置の情報記録動作について、図６を用いて説明する。ここで、以下に説明する情報記録動作は、記録すべきプログラムを記録する度に当該プログラム毎に実行されるものである。
【０１３７】
なお、第２実施形態における光ディスク１には、第１実施形態のタイトル領域とは異なり、上記メニュー画面を構成する画像であって、夫々のプログラムを認識するのに適した画像の光ディスク１上の記録位置を示すアドレス情報を記録しておくタイトル領域（各プログラム毎に設定される。）が含まれている。
【０１３８】
先ず、図６（ａ）を用いて情報記録の全体動作について説明する。
【０１３９】
第２実施形態の情報記録装置において情報記録動作が開始されると（ステップＳ１）、始めに、上記ステップＳ２が実行される。このとき、プログラム番号の決定に伴い、光ディスク１上に新たなアドレス情報を記録するためのタイトル領域が確保される。
【０１４０】
プログラム番号が決定されると、次に、記録すべきプログラムに対応する情報信号Ｓinの入力が開始され、Ａ／Ｄコンバータ３におけるＡ／Ｄ変換処理、ＭＰＥＧエンコーダ４における圧縮処理及び記録エンコーダ６におけるフォーマッティング処理が開始されると共に、当該プログラムにおける先頭の画像を示すＩピクチャの光ディスク１上の記録位置を示すアドレス情報が記録エンコーダ６から記録アドレス信号Ｓraとして出力され、ＣＰＵ１７、スイッチ２１を介してバッファ１５に一時的に記憶される（ステップＳ３０）。
【０１４１】
そして、引き続き入力されている情報信号Ｓinに基づく記録信号Ｓrの記録処理が実行される（ステップＳ４）。
【０１４２】
次に、バッファ１５が切換信号Ｓbe（すなわち、記録すべきプログラム内のいずれかの静止画を示すアドレス情報）で満たされたか否かが判定され（ステップＳ５）、満たされていないときは（ステップＳ５；ｎｏ）そのままステップＳ７に移行する。
【０１４３】
一方、ステップＳ５の判定において、バッファ１５が切換信号Ｓbeで満たされているときは（ステップＳ５；ｙｅｓ）、次に、バッファ１５に貯まった切換信号Ｓbe（アドレス情報）を、ステップＳ２で決定されたプログラム番号に対応して確保されているタイトル領域内に記録させる（ステップＳ３１）。この場合には、第１実施形態と同様に、バッファ信号Ｓboがマルチプレクサ５、記録エンコーダ６及び記録回路７を介してピックアップ２により対応するタイトル領域に記録されることとなる。
【０１４４】
次に、操作部２０において記録動作の終了を示す操作が為されたか否かが判定され（ステップＳ７）、操作されているときは（ステップＳ７；ｙｅｓ）、そのまま記録処理を終了し、操作されていないときは（ステップＳ７；ｎｏ）記録処理を継続すべくステップＳ４に戻る。
【０１４５】
次に、図６（ａ）の全体動作中に行われる割り込み処理について、図６（ｂ）を用いて説明する。なお、図６（ａ）に示す全体動作中において図６（ｂ）に示す割り込み処理の割り込みが許可されるのは、上記ステップＳ４開始後ステップＳ３１開始前までの間である。
【０１４６】
図６（ｂ）に示す割り込み処理は、操作部２０内の画面選択ボタン２０ａが操作されることにより開始される。
【０１４７】
すなわち、ＣＰＵ１７は、第１実施形態の場合と同様に、図６（ａ）に示すステップＳ４開始後ステップＳ３１開始前までの間、常に画面選択ボタン２０ａが操作されたか否かを監視する（ステップＳ１０）。
【０１４８】
そして、操作されていないときは（ステップＳ１０；ｎｏ）、そのままもとの全体動作を実行し、操作されているときは（ステップＳ１０：ｙｅｓ）、ＭＰＥＧエンコーダ４内に入力されているディジタル信号Ｓdの中から、当該操作されたタイミングに最も近いタイミングで入力される画像に対応するＩピクチャを示すアドレス情報を検索する（ステップＳ３２）。
【０１４９】
そして、検索されたＩピクチャに対応するアドレス情報を、ＣＰＵ１７、スイッチ２１を介してバッファ１５内に切換信号Ｓbeとして格納し（ステップＳ３３）、元の全体動作に戻る。このとき、バッファ１５内に既に他のＩピクチャに対応するアドレス情報を示す切換信号Ｓbeが格納されているときは、それに上書きして上記検索されたＩピクチャに対応するアドレス情報を示す切換信号Ｓbeを記憶する。
【０１５０】
以上の割り込み処理が実行された後に上記ステップＳ３１の処理が実行されることにより、プログラムを記録する使用者が所望する当該プログラム中の画像を示すアドレス情報が、当該プログラムを象徴する画像を示すアドレス情報として光ディスク１内のタイトル領域に記録される。
【０１５１】
次に、図７を用いて、第２実施形態に係る光ディスク１に記録されているプログラムの再生の全体動作について説明する。ここで、以下に説明する情報再生動作は、再生すべきプログラムを再生する度に当該プログラム毎に実行されるものである。
【０１５２】
図７に示すように、第２実施形態の情報記録装置Ｓにおいて情報再生動作が開始されると（ステップＳ１５）、始めに、第１実施形態の場合と同様に、光ディスク１上のタイトル領域に記録されている各プログラムに対応するＩピクチャを示すアドレス情報を読み出し、当該アドレス情報に対応するＩピクチャを光ディスク１から読み出すことによりメニュー画面生成部１２において検出し、当該検出した各プログラムに対応するＩピクチャを用いて上記メニュー画面Ｍを生成する（ステップＳ３４）。
【０１５３】
このとき、スイッチ２２はメニュー画面生成回路１２側に切り換えられており、生成されたメニュー画面Ｍに対応するメニュー信号Ｓmyは、切換信号ＳchとしてＤ／Ａコンバータ１３を介して外部のモニタに出力される。なお、出力されるメニュー画面Ｍの構成自体は第１実施形態と同様である。
【０１５４】
メニュー画面Ｍが生成されて表示されると、次に、当該表示されたメニュー画面Ｍに基づいて使用者が操作部２０を操作することにより再生すべきプログラムが決定される（ステップＳ１７）。
【０１５５】
そして、プログラムが選択されると、次にスイッチ２２がデコード信号Ｓdc側に切り換えられると共に、ピックアップ２が再生すべきプログラムに対応する検出信号Ｓpの生成を開始し、上記再生回路８、再生デコーダ９、マルチプレクサ１０、ＭＰＥＧデコーダ１１、スイッチ２２及びＤ／Ａコンバータ１３が再生すべきプログラムに対応する出力信号Ｓoutの出力を開始する（ステップＳ１８）。これと並行して再生デコーダ９は、再生中のプログラムにおける各Ｉピクチャの記録位置を示すアドレス情報を再生アドレス信号ＳpaとしてＣＰＵ１７に出力し、当該ＣＰＵ１７が、再生中に使用者が画面選択ボタン２０ａを操作した場合に、当該操作が為されたタイミングに最も近いタイミングで再生されるＩピクチャに対応する再生アドレス信号Ｓpaをスイッチ２１を介して切換信号Ｓbeとして順次バッファ１５に格納する。
【０１５６】
次に、バッファ１５が切換信号Ｓbe（すなわち、再生すべきプログラム内のいずれかのＩピクチャを示すアドレス情報に対応する切換信号Ｓbe）で満たされたか否かが判定され（ステップＳ３５）、満たされていないときは（ステップＳ３５；ｎｏ）そのままステップＳ２１に移行する。
【０１５７】
一方、ステップＳ３５の判定において、バッファ１５が切換信号Ｓbeで満たされているときは（ステップＳ３５；ｙｅｓ）、次に、バッファ１５に貯まった切換信号Ｓbe内におけるアドレス情報を、ステップＳ１７で決定されたプログラム番号に対応した光ディスク１上のタイトル領域内に記録させる（ステップＳ３６）。この場合には、上記情報記録時と同様に、バッファ信号Ｓboがマルチプレクサ５、記録エンコーダ６及び記録回路７を介してピックアップ２により対応するタイトル領域に記録される。
【０１５８】
次に、操作部２０において再生動作の終了を示す操作が為されたか否かが判定され（ステップＳ２１）、操作されているときは（ステップＳ２１；ｙｅｓ）、そのまま再生処理を終了し、操作されていないときは（ステップＳ２１；ｎｏ）再生処理を継続すべくステップＳ１８に戻る。
【０１５９】
ここで、第２実施形態の情報記録再生装置Ｓにおける情報再生動作においても、上述した図３（ｂ）に示す割り込み処理が実行される。そして、この場合に、図７に示す全体動作中において図３（ｂ）に示す割り込み処理の割り込みが許可されるのは、上記ステップＳ１８開始後ステップＳ３６開始前までの間である。
【０１６０】
また、情報再生時には、ＣＰＵ１７が図７に示すステップＳ１８開始後ステップＳ３６開始前までの間、常に画面選択ボタン２０ａが操作されたか否かを監視しており、当該画面選択ボタン２０ａが操作されることにより図３（ｂ）に示す割り込み処理が開始される。当該割り込み処理の内容については、図３（ｂ）に示した割り込み処理と全く同様であるので細部の説明は省略する。
【０１６１】
以上説明した情報再生の全体動作及び割り込み処理が実行された後に上記ステップＳ３６の処理が実行されることにより、プログラムを再生中であっても、当該再生を行う使用者が所望する当該プログラム中の画像を示すアドレス情報が、当該プログラムを象徴する画像を示すアドレス情報として光ディスク１内のタイトル領域に記録される。そして、次回に同じプログラムを再生するとき以後は、当該タイトル領域に記録されているアドレス情報を用いて上記メニュー画面Ｍが構成されることとなる。
【０１６２】
なお、上述したステップＳ１８、Ｓ３５及びＳ３６の動作（図３（ｂ）に示す割り込み処理を含む。）を実行した場合のメニュー画面Ｍの変化及びタイトル領域の変化は、当該タイトル領域に記録されるのがＩピクチャそのものではなく当該Ｉピクチャを示すアドレス情報である点を除いて図５に示す場合と同様であるので、細部の説明は省略する。
【０１６３】
以上説明したように、第２実施形態の情報記録再生装置Ｓの動作によれば、プログラム毎にそれを象徴する画像を示すアドレス情報を選択して光ディスク１に記録し、当該プログラムの再生時にこのアドレス情報を読み出すことにより他のプログラムに対応する画像を含めて複数の画像を用いてメニュー画面Ｍを合成するので、再生すべきプログラムに最も相応しい画像を用いて再生すべきプログラムを選択することができる。
【０１６４】
また、光ディスク１には上記アドレス情報のみを記録するので、タイトル領域が少なくてすみ、光ディスク１上の記録可能領域を有効に活用してより多くのプログラムを記録又は再生させることができる。
【０１６５】
なお、上述の各実施形態は、光ディスク１に対して情報の記録及び再生が可能な情報記録再生装置に対して本願を適用した場合について説明したが、これ以外に、図１に示す情報記録再生装置ＳにおけるＡ／Ｄコンバータ３及びＭＰＥＧエンコーダ４を除いたプログラムの再生のみが可能な情報再生装置、又は、図１に示す情報記録再生装置Ｓにおけるメニュー画面生成回路１２及びスイッチ２２並びにＤ／Ａコンバータ１３を除いたプログラムの記録のみが可能な情報記録装置に対して本願を適用することも可能である。
【０１６６】
また、上述した各実施形態では、記録媒体として光ディスク１を用いた場合について説明したが、これ以外に、情報の記録が可能であるとともにいわゆるランダムアクセスが可能な記録媒体であれば、例えば、半導体メモリ等に対しても本願を広く適用することができる。
【０１６７】
更に、上述した実施形態では、圧縮処理としてＭＰＥＧ２方式を用いる場合について説明したが、これ以外の圧縮処理であっても本願を広く適用することができる。
【０１６８】
更にまた、上記圧縮処理に拘わらず、記録の際に記録すべき情報を加工して記録を行う情報記録再生装置であれば、本願を広く適用することができる。
【図面の簡単な説明】
【０１６９】
【図１】第１実施形態の情報記録再生装置の概要構成を示すブロック図である。
【図２】第１実施形態のメニュー画面生成回路の細部構成を示すブロック図である。
【図３】第１実施形態の情報記録の動作を示すフローチャートであり、（ａ）は情報記録の全体動作を示すフローチャートであり、（ｂ）は割り込み処理の動作を示すフローチャートである。
【図４】第１実施形態の情報再生の動作を示すフローチャートであり、（ａ）は情報再生の全体動作を示すフローチャートであり、（ｂ）はメニュー画面生成処理の動作を示すフローチャートである。
【図５】メニュー画面の構成等を例示する図であり、（ａ）は初期状態のタイトル領域及びメニュー画面の構成を示す図であり、（ｂ）は再生中の画面の変化を例示する図であり、（ｃ）は更新後のタイトル領域及びメニュー画面の構成を示す図である。
【図６】第２実施形態の情報記録の動作を示すフローチャートであり、（ａ）は情報記録の全体動作を示すフローチャートであり、（ｂ）は割り込み処理の動作を示すフローチャートである。
【図７】第２実施形態の情報再生の全体動作を示すフローチャートである。
【符号の説明】
【０１７０】
１    光ディスク
２    ピックアップ
３    Ａ／Ｄコンバータ
４    ＭＰＥＧエンコーダ
５、１０    マルチプレクサ
６    記録エンコーダ
７    記録回路
８    再生回路
９    再生デコーダ
１１    ＭＰＥＧデコーダ
１２    メニュー画面生成回路
１３    Ｄ／Ａコンバータ
１４    静止画エンコーダ
１５    バッファ
１６    スピンドルモータ
１７    ＣＰＵ
１８    サーボ回路
１９    表示部
２０    操作部
２０ａ    画面選択ボタン
２１、２２    スイッチ
２３    キャプチャ部
２４    縮尺変更部
２５    メモリ
２６    ＧＵＩ画面生成部
２７    合成部
Ｔ１、Ｔ２、Ｔ３    タイトル領域
Ｍ    メニュー画面
Ｍ１、Ｍ２、Ｍ３、Ｍ４、Ｍ５、Ｍ６    画像
Ｄ    モニタ
Ｂ    光ビーム
Ｓ    情報記録再生装置
Ｓin    情報信号
Ｓd    ディジタル信号
Ｓe    エンコード信号
Ｓmr    切換記録信号
Ｓmp    再生切換信号
Ｓre    記録エンコード信号
Ｓr    記録信号
Ｓp    検出信号
Ｓpp    再生信号
Ｓpd    デコード信号
Ｓdc    デコード信号
Ｓch、Ｓbe    切換信号
Ｓg    画像信号
Ｓout    出力信号
Ｓc    指示信号
Ｓs、Ｓ１、Ｓ２、Ｓ３、Ｓ４、Ｓ５、Ｓ６、Ｓ７、Ｓ８、Ｓ９、Ｓ１０、Ｓ１１、Ｓ１２、Ｓ１３、Ｓ１４、Ｓ１５、Ｓ１６    制御信号
Ｓsp    ピックアップ制御信号
Ｓsm    スピンドル制御信号
Ｓdp    表示信号
Ｓra    記録アドレス信号
Ｓpa    再生アドレス信号
Ｓadd    アドレス情報信号
Ｓse    静止画エンコード信号
Ｓbo    バッファ信号
Ｓmy    モニター信号
【図１】
2006314116.tif 000003
【図２】
2006314116.tif 000004
【図３】
2006314116.tif 000005
【図４】
2006314116.tif 000006
【図５】
2006314116.tif 000007
【図６】
2006314116.tif 000008
【図７】
2006314116.tif 000009
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
画像を含む記録情報を記録媒体へ記録する記録手段と、
前記記録された記録情報を再生する再生手段と、
前記記録された記録情報の再生中に出力される前記画像を選択するために用いられる選択手段と、
前記記録手段による前記記録情報の記録開始後において、当該記録中の前記記録情報における先頭の前記画像である先頭画像に相当する先頭画像情報を、当該記録情報を示す識別情報として、前記記録情報の選択に用いられる情報が記録されるべき前記記録媒体上の領域である選択情報領域へ記録する識別情報記録手段と、
前記記録情報の再生中において前記選択手段によっていずれかの前記画像が選択されたとき、当該選択された画像に相当する選択画像情報を、再生中の前記記録情報を示す前記先頭画像に相当する前記先頭画像情報に対して上書きして記録する上書記録手段と、
を備えたことを特徴とする情報記録再生装置。
【請求項２】
請求項１に記載の情報記録再生装置において、
前記上書記録手段は、前記記録情報の再生が為されている間において、前記選択画像情報を、再生中の前記記録情報を示す前記先頭画像に相当する前記先頭画像情報に対して上書きして記録することを特徴とする情報記録再生装置。
【請求項３】
請求項１又は２に記載の情報記録再生装置において、
複数の前記記録情報に対応する複数の前記画像を前記選択情報領域から検出し、当該検出された複数の前記画像を、再生すべき前記記録情報を選択するためのメニュー画像として合成し出力するメニュー出力手段を更に備えたことを特徴とする情報記録再生装置。
【請求項４】
画像を含む記録情報を記録媒体へ記録する記録手段と、
前記記録された記録情報を再生する再生手段と、
前記記録された記録情報の再生中に出力される前記画像を選択するために用いられる選択手段と、
前記記録手段による前記記録情報の記録開始後において、当該記録中の前記記録情報における先頭の前記画像である先頭画像を示す指示情報を、当該記録情報を示す識別情報として、前記記録情報の選択に用いられる情報が記録されるべき前記記録媒体上の領域である選択情報領域へ記録する識別情報記録手段と、
前記記録情報の再生中において前記選択手段によっていずれかの前記画像が選択されたとき、当該選択された画像を示す選択画像指示情報を、再生中の前記記録情報を示す前記先頭画像を示す前記指示情報に対して上書きして記録する上書記録手段と、
を備えたことを特徴とする情報記録再生装置。
【請求項５】
請求項４に記載の情報記録再生装置において、
前記上書記録手段は、前記記録情報の再生が為されている間において、前記選択画像指示情報を、再生中の前記記録情報を示す前記先頭画像を示す前記指示情報に対して上書きして記録することを特徴とする情報記録再生装置。
【請求項６】
請求項４又は５に記載の情報記録再生装置において、
複数の前記記録情報に対応する複数の前記指示情報を前記選択情報領域から検出し、当該検出された複数の前記指示情報により示される前記先頭画像を、再生すべき前記記録情報を選択するためのメニュー画像として合成し出力するメニュー出力手段を更に備えたことを特徴とする情報記録再生装置。
【手続補正３】
【補正対象書類名】明細書
【補正対象項目名】０００７
【補正方法】変更
【補正の内容】
【０００７】
上記の課題を解決するために、請求項１に記載の発明は、画像を含む記録情報を光ディスク等の記録媒体へ記録するピックアップ等の記録手段と、前記記録された記録情報を再生するピックアップ等の再生手段と、前記記録された記録情報の再生中に出力される前記画像を選択するために用いられる操作部等の選択手段と、前記記録手段による前記記録情報の記録開始後において、当該記録中の前記記録情報における先頭の前記画像である先頭画像に相当する先頭画像情報を、当該記録情報を示す識別情報として、前記記録情報の選択に用いられる情報が記録されるべき前記記録媒体上の領域である選択情報領域へ記録するピックアップ等の識別情報記録手段と、前記記録情報の再生中において前記選択手段によっていずれかの前記画像が選択されたとき、当該選択された画像に相当する選択画像情報を、再生中の前記記録情報を示す前記先頭画像に相当する前記先頭画像情報に対して上書きして記録するピックアップ等の上書記録手段と、を備える。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
上記の課題を解決するために、請求項４に記載の発明は、画像を含む記録情報を光ディスク等の記録媒体へ記録するピックアップ等の記録手段と、前記記録された記録情報を再生するピックアップ等の再生手段と、前記記録された記録情報の再生中に出力される前記画像を選択するために用いられる操作部等の選択手段と、前記記録手段による前記記録情報の記録開始後において、当該記録中の前記記録情報における先頭の前記画像である先頭画像を示す指示情報を、当該記録情報を示す識別情報として、前記記録情報の選択に用いられる情報が記録されるべき前記記録媒体上の領域である選択情報領域へ記録するピックアップ等の識別情報記録手段と、前記記録情報の再生中において前記選択手段によっていずれかの前記画像が選択されたとき、当該選択された画像を示す選択画像指示情報を、再生中の前記記録情報を示す前記先頭画像を示す前記指示情報に対して上書きして記録するピックアップ等の上書記録手段と、を備える。
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】０１３２
【補正方法】変更
【補正の内容】
【０１３２】
以上説明したように、第１実施形態の情報記録再生装置Ｓの動作によれば、プログラム毎にそれを象徴する画像を選択して光ディスク１に記録し、当該プログラムの再生時に他のプログラムに対応する画像を含めた複数の画像を用いてメニュー画面Ｍを合成するので、再生すべきプログラムに最も相応しい画像を用いて再生すべきプログラムを選択することができる。
従って、プログラムの再生時に、一目でプログラムの内容が理解できるメニュー画面Ｍを用いて効率的に当該プログラムを選択して再生することができる。
【手続補正５０】
【補正対象書類名】明細書
【補正対象項目名】０１６３
【補正方法】変更
【補正の内容】
【０１６３】
以上説明したように、第２実施形態の情報記録再生装置Ｓの動作によれば、プログラム毎にそれを象徴する画像を示すアドレス情報を選択して光ディスク１に記録し、当該プログラムの再生時にこのアドレス情報を読み出すことにより他のプログラムに対応する画像を含めて複数の画像を用いてメニュー画面Ｍを合成するので、再生すべきプログラムに最も相応しい画像を用いて再生すべきプログラムを選択することができる。
従って、プログラムの再生時に、一目でプログラムの内容が理解できるメニュー画面Ｍを用いて効率的に当該プログラムを選択して再生することができる。